(57)【特許請求の範囲】
【請求項１】
商品を上下方向に集積収納する商品収納部と、
この商品収納部の一側下部に形成される投出口と、
前記商品収納部の底部を前記投出口へ向けた投出方向に移動して前記商品収納部内の最下位の商品を前記投出口から押し出して投出する押出部材と、
この押出部材を移動させる駆動機構と
を具備する商品投出装置であって、
前記押出部材の上面には、投出方向と交差する前記商品収納部の幅方向に非対称形状で、前記最下位の商品上に載置されていて最下位の商品の投出によって落下する次位の商品を支持するとともにその次位の商品を投出方向と交差する前記商品収納部の幅方向に傾斜させる支持部が形成されている
ことを特徴とする商品投出装置。
【請求項２】
商品を上下方向に集積収納する商品収納部と、
この商品収納部の一側下部に形成される投出口と、
前記商品収納部の底部を前記投出口へ向けた投出方向に移動して前記商品収納部内の最下位の商品を前記投出口から押し出して投出する押出部材と、
この押出部材の投出方向と反対側に配置された支持部材と、
前記押出部材および支持部材を移動させる駆動機構と
を具備する商品投出装置であって、
前記押出部材および前記支持部材のうちの少なくとも前記支持部材の上面には、投出方向と交差する前記商品収納部の幅方向に非対称形状で、前記最下位の商品上に載置されていて最下位の商品の投出によって落下する次位の商品を支持するとともにその次位の商品を投出方向と交差する前記商品収納部の幅方向に傾斜させる支持部が形成されている
ことを特徴とする商品投出装置。
【請求項３】
前記支持部の上面部分には、幅方向の一側領域に凹状の切欠部が形成されている
ことを特徴とする請求項１または２記載の商品投出装置。
【請求項４】
前記支持部は、幅方向の片側のみに形成されている
ことを特徴とする請求項１または２記載の商品投出装置。
【請求項５】
前記支持部の上面を、幅方向に傾斜する形状とした
ことを特徴とする請求項１または２記載の商品投出装置。
【請求項６】
前記支持部の上面の幅方向の一側に突部を突設した
ことを特徴とする請求項１または２記載の商品投出装置。
【発明の詳細な説明】
【０００１】
【発明の属する技術分野】
本発明は、商品を上下方向に集積収納し、最下位の商品から順に投出する商品投出装置に関する。
【０００２】
【従来の技術】
従来、自動販売機の商品投出装置では、例えば、特開平８−１９０６６８号公報に記載されているように、商品収納部に商品を上下方向に集積収納し、商品収納部の底面を構成する投出ユニットにより商品収納部内の最下位の商品を商品収納部の一側下部に形成された投出口から押し出して投出している。
【０００３】
投出ユニットでは、商品の厚みの半分程度の厚みに設定される１個の押出部材を投出口へ向けた投出方向へ移動させ、商品収納部内の最下位の商品を投出口へ押し出して投出している。
【０００４】
投出口は、投出ユニットの上面と厚み規制部材との間に形成され、商品の厚みよりやや大きい高さに設定される。
【０００５】
【発明が解決しようとする課題】
しかしながら、従来の商品投出装置では、商品投出動作中に、押出部材によって最下位の商品が前方へ押し出されると、最下位の商品の上に載っていた次位の商品は、下面後端が投出ユニット上に落下し、下面前端は最下位の商品の上面後端に支えられた姿勢となる。このとき、商品収納部内の残りの商品が少ない場合には、押出部材が投出方向への移動範囲の中間位置近傍に達すると、最下位の商品が重量バランスの関係で前下がりに回転しながら投出され、最下位の商品の上面後端によって次位の商品の下面前端が跳ね上げられる。跳ね上げられた次位の商品が押出部材上に落下した際に、その落下の勢いで押出部材との接触部分を中心として回転しながら前下がり姿勢をとり、投出口を通じて前方へずり落ちることがある。つまり、商品の投出時に最下位の商品につられて次の商品が投出される、連れ出しと呼ばれる障害が生じる問題がある。
【０００６】
本発明は、このような点に鑑みなされたもので、次位の商品の連れ出しを防止し、商品の安定した投出ができる商品投出装置を提供することを目的とする。
【０００７】
【課題を解決するための手段】
請求項１記載の商品投出装置は、商品を上下方向に集積収納する商品収納部と、この商品収納部の一側下部に形成される投出口と、前記商品収納部の底部を前記投出口へ向けた投出方向に移動して前記商品収納部内の最下位の商品を前記投出口から押し出して投出する押出部材と、この押出部材を移動させる駆動機構とを具備する商品投出装置であって、前記押出部材の上面には、投出方向と交差する前記商品収納部の幅方向に非対称形状で、前記最下位の商品上に載置されていて最下位の商品の投出によって落下する次位の商品を支持するとともにその次位の商品を投出方向と交差する前記商品収納部の幅方向に傾斜させる支持部が形成されているものである。
【０００８】
そして、駆動機構によって押出部材が投出方向に移動して最下位の商品を投出口から押し出すことにより、次位の商品が投出方向に対して後ろ下がり姿勢で押出部材上に落下、載置される。このとき、押出部材の上面には、投出方向と交差する商品収納部の幅方向に非対称形状で、最下位の商品上に載置されていて最下位の商品の投出によって落下する次位の商品を支持するとともにその次位の商品を投出方向と交差する商品収納部の幅方向に傾斜させる支持部が形成されていることにより、次位の商品は幅方向にも傾斜し、落下の勢いが幅方向にも分散され、次位の商品が落下の勢いで押出部材との接触部分を中心として回転しながら押出部材を乗り越えて投出口からずり落ちるのが防止される。
【０００９】
請求項２記載の商品投出装置は、商品を上下方向に集積収納する商品収納部と、この商品収納部の一側下部に形成される投出口と、前記商品収納部の底部を前記投出口へ向けた投出方向に移動して前記商品収納部内の最下位の商品を前記投出口から押し出して投出する押出部材と、この押出部材の投出方向と反対側に配置された支持部材と、前記押出部材および支持部材を移動させる駆動機構とを具備する商品投出装置であって、前記押出部材および前記支持部材のうちの少なくとも前記支持部材の上面には、投出方向と交差する前記商品収納部の幅方向に非対称形状で、前記最下位の商品上に載置されていて最下位の商品の投出によって落下する次位の商品を支持するとともにその次位の商品を投出方向と交差する前記商品収納部の幅方向に傾斜させる支持部が形成されているものである。
【００１０】
そして、駆動機構によって押出部材および支持部材が投出方向に移動して最下位の商品を投出口から押し出すことにより、次位の商品が投出方向に対して後ろ下がり姿勢で押出部材および支持部材上に落下、載置される。このとき、押出部材および支持部材のうちの少なくとも支持部材の上面には、投出方向と交差する商品収納部の幅方向に非対称形状で、最下位の商品上に載置されていて最下位の商品の投出によって落下する次位の商品を支持するとともにその次位の商品を投出方向と交差する商品収納部の幅方向に傾斜させる支持部が形成されていることにより、次位の商品は幅方向にも傾斜し、落下の勢いが幅方向にも分散され、次位の商品が落下の勢いで押出部材および支持部材との接触部分を中心として回転しながら押出部材を乗り越えて投出口からずり落ちるのが防止される。
【００１１】
請求項３記載の商品投出装置は、請求項１または２記載の商品投出装置において、前記支持部の上面部分には、幅方向の一側領域に凹状の切欠部が形成されているものである。
【００１２】
請求項４記載の商品投出装置は、請求項１または２記載の商品投出装置において、前記支持部は、幅方向の片側のみに形成されているものである。
【００１３】
請求項５記載の商品投出装置は、請求項１または２記載の商品投出装置において、前記支持部の上面を、幅方向に傾斜する形状としたものである。
【００１４】
請求項６記載の商品投出装置は、請求項１または２記載の商品投出装置において、前記支持部の上面の幅方向の一側に突部を突設したものである。
【００１５】
【発明の実施の形態】
以下、本発明の商品投出装置の各実施の形態を図面を参照して説明する。
【００１６】
図１ないし図５に第１の実施の形態を示す。
【００１７】
図５に商品投出装置を適用した自動販売機を示し、(a)は扉体を開放した状態の正面図、(b)は内部構造を示す側面から見る断面図である。
【００１８】
自動販売機は、前面が開放される箱状の販売機本体11と、この販売機本体11の前面に開閉可能に取り付けられた扉体12とを有し、販売機本体11の下部には複数の転倒防止脚13が設けられている。
【００１９】
販売機本体11内には、上下に複数の棚板14が配設され、各棚板14上には複数の商品投出装置15が横に並んで配設されている。各商品投出装置15は、底面上に商品を上下方向に集積収納する商品収納部としての商品コラム16、およびこの商品コラム16の下部に配設されて商品コラム16内の最下位の商品を順に投出方向である前方へ押し出して投出する投出手段としての投出ユニット17を有している。販売機本体11の底部には、電源装置18が配設されている。
【００２０】
扉体12の前面には、選択ボタンを有する見本展示部19、貨幣投入口や返却レバーなどを有する操作部、商品が払い出される商品取出口20、広告などを表示する広告部21が設けられている。また、扉体21の裏面には、操作部に投入された貨幣を識別計数するとともに返却や必要に応じて釣銭を払い出す貨幣処理装置22が配置されている。さらに、扉体12の裏面には、扉体12の閉鎖状態において商品投出装置15の前面に近接し、各段の商品投出装置15から投出される商品を受入口23を介して受け入れ、下方の商品取出口20に通じる商品取出部24へ案内する商品シュート25が形成されている。
【００２１】
次に、図１に商品投出装置15を示し、(a)は正面図、(b)は側面図である。
【００２２】
商品投出装置15は、商品コラム16内に例えばたばこなどの矩形箱状の商品Ｔを前後方向に１列で上下方向に集積収納し、商品コラム16の下部の投出ユニット17で商品コラム16内の最下位の商品Ｔを前方へ押し出して順に投出する構成、すなわち１列・前投出タイプに構成されている。
【００２３】
商品コラム16は、棚板14上に立設されるコラム板31を有し、このコラム板31には、側面を構成して隣接する商品コラム16との仕切りとなる側面部32、この側面部32の後縁から折曲されて商品コラム16の後面を構成する後面部33が形成されている。そして、隣接する両側のコラム板31間に商品Ｔを上下方向に集積収納する収納空間35が形成されている。
【００２４】
商品コラム16の前面下部には商品コラム16内の最下位の商品Ｔが通過可能な投出口36が形成され、商品コラム16の後面部33の下部には投出ユニット17との間に挿通口37が形成されている。
【００２５】
商品コラム16の前面で投出口36の上側には、商品コラム16内の最下位の商品Ｔが投出口36を通じて投出可能とするとともに最下位の商品Ｔ上に載っている次位の商品Ｔが連られて出ること、つまり連れ出しを防止する厚み規制部材38が配設され、さらに、この厚み規制部材38の上側には、商品コラム16の前面に配置されて商品コラム16内に収納された商品Ｔの前面を支えるとともに商品補充時などに開放可能とする棒状の前支え部材39が配設されている。投出ユニット17の上面と厚み規制部材38との間の投出口36の高さは寸法は１つの商品Ｔの厚みよりやや大きい程度に設定されている。
【００２６】
次に、図２に商品投出装置15の投出ユニット17を示し、(a)は平面図、(b)は正面から見る断面図、(c)は側面から見る断面図である。
【００２７】
投出ユニット17は、棚板14上に配設されるケース体41を有し、このケース体41の上面42が商品コラム16の収納空間35の底面として構成され、このケース体41の上面42に商品Ｔが集積される。
【００２８】
ケース体41は、投出方向と交差する商品コラム16の幅方向（左右方向）に２分割形成された左右のケース部43，44を有し、これらケース部43，44の互いに対向する内側面から四角形枠状の接続部45および複数の接続爪46がそれぞれ突出形成され、これら接続部45と接続爪46との結合によって一体化されている。ケース体41の下面には、棚板14に位置決め係合する取付突起47、および棚板14に引っ掛け係止される複数の取付フック48が突設されている。
【００２９】
左右のケース部43，44の間には、ケース体41の幅方向の略中心で、投出方向の前後部に駆動プーリ49および従動プーリ50が回転自在に軸支されるとともに、これらプーリ49，50間にベルト51が掛け回されている。左右のケース部43，44の対向面にはベルト51の回動軌跡の外側でかつ上面から前面および下面の領域にわたってガイド部52，53が突出形成され、これらガイド部52，53間に溝部54が形成されている。この溝部54を通じて、ケース体41の上面42を前方へ移動して最下位の商品Ｔを前方へ押し出して投出する押出部材55がベルト51に連結されている。
【００３０】
そして、商品投出待機時には押出部材55が商品コラム16の後方の投出待機位置で待機され、商品投出時に投出モータＭによって駆動プーリ49を介してベルト51が回転駆動されることにより、押出部材55が挿通口37を通じて商品コラム16内に進入してケース体41の上面を前方へ移動するとともに前面から下方へ折り返すとともにケース体41の内側を通じて後方の投出待機位置に復帰される。プーリ49，50、ベルト51およびモータＭなどで、押出部材55を移動させる駆動機構56が構成されている。
【００３１】
ケース体41の前面両側には前方へ突出して投出口36から投出される商品Ｔを前方へガイドするガイド部57が形成され、これら各ガイド部57の投出口36に臨む上面には前方へ向けて下降傾斜するガイド面58が形成されている。
【００３２】
右側のケース部44の上面42には溝部54と平行にスリット59が形成され、このスリット59を通じて有無検知スイッチ60の有無検知レバー61が上方へ進退可能に突出され、この有無検知レバー61が商品コラム16内に収納された商品Ｔによって押し下げられる状態で有無検知スイッチ60により商品有りが検知され、有無検知レバー61が上方に突出する状態で有無検知スイッチ60により売切れが検知される。
【００３３】
次に、図３に商品投出装置15の押出部材55を示し、(a)は平面図、(b)は左側面図、(c)は右側面図である。
【００３４】
押出部材55は、例えば合成樹脂製で、商品コラム16の幅方向に対応して幅広に一体形成され、投出方向の前後下面にケース体41のガイド部52，53の外面に対向してまたは接して移動可能とする脚部65，66を有し、前側の脚部65に溝部54を通じてベルト51に連結される連結部67が設けられている。押出部材55の投出方向の前端には最下位の商品Ｔを押し出す押出部68が形成され、この押出部68の後方に次位の商品Ｔを支持する支持部69が形成されている。支持部69の上面部分には、幅方向の一側の半分程度の領域（この例では投出方向を向いて右側部分）に凹状の切欠部70が切り欠き形成され、残りの半分が次位の商品Ｔを支持する支持部69としての機能を有している。
【００３５】
次に、商品投出装置15を備えた自動販売機の作用について説明する。
【００３６】
まず、待機状態では、押出部材55は、商品コラム16の後方の投出待機位置に位置する。商品コラム16に商品Ｔが投出ユニット17上に集積されると、有無検知レバー61が押下されて商品有りが検知される。商品Ｔが無い場合は、有無検知レバー61が突出して商品無しが検知されて、売切処理（売切表示、選択ボタンの無効化）がなされる。
【００３７】
係員によって、最下位の商品Ｔが投出ユニット17の上面42上に略水平に載置され、その商品Ｔ上に同じ種類の商品Ｔが順次積み重ねられる。最下位の商品Ｔによって有無検知レバー61が押下され、販売可能状態となる。
【００３８】
続いて、販売動作では、自動販売機に貨幣が投入され、いずれかの選択ボタンが押下されると、対応する商品投出装置15の投出モータＭが駆動される。駆動プーリ49が回転（第２図(c)中、反時計回り方向）すると、この駆動プーリ49に掛け回されたベルト51も回転（同方向）し、押出部材55が挿通口37を通じて商品コラム16内に進入し、押出部材55の押出部68で最下位の商品Ｔを投出口36から前方へ押し出し、厚み規制部材38で最下位の商品Ｔ上に載る次位の商品Ｔの前方への移動を規制し、最下位の商品Ｔのみを投出する。投出した商品Ｔはシュート部25を通じて商品取出口20に案内する。
【００３９】
最下位の商品Ｔを投出した押出部材55は、前端から下方へ折り返すとともにケース体41の内側を通して後方の投出待機位置に戻って駆動が停止され、待機状態となる。最下位の商品Ｔの投出によって次位の商品Ｔが無くなれば、有無検知レバー61が上昇したままとなり、売り切れが検知される。
【００４０】
次に、最下位の商品Ｔの投出時における次位の商品Ｔの動作について図４を参照して説明する。
【００４１】
次位の商品Ｔは、当初、下面全域が最下位の商品Ｔに支持されている。
【００４２】
押出部材55で最下位の商品Ｔが押し出されると、次位の商品Ｔの下面後端が投出ユニット17の上面42に落下する。
【００４３】
押出部材55で最下位の商品Ｔがさらに押し出されて、最下位の商品Ｔの上面後端と次位の商品Ｔの下面前端との係合が解除されると、次位の商品Ｔの前端側が押出部材55上に落下する。
【００４４】
押出部材55がさらに前進して次位の商品Ｔの下方から抜けると、次位の商品Ｔが投出ユニット17の上面42に載置される。
【００４５】
そして、前端が押出部材55上に落下した際の次位の商品Ｔは、押出部68の上端、支持部69の上面および投出ユニット17の上面によって支持される。このとき、押出部材55は商品コラム16の前寄り位置に達していることから、次位の商品Ｔは後ろ下がりに傾斜した姿勢をとろうとする。さらに、押出部材55の支持部69が幅方向片側にしか形成されていないため、次位の商品Ｔは後ろ下がりだけでなく、幅方向にも傾斜した姿勢（投出方向を向いて右下がり）をとろうとする。
【００４６】
したがって、次位の商品Ｔが押出部材55上に落下した勢い、つまり落下する力F1に対する反発力F2は、次位の商品Ｔと押出部材55との接触部分（押出部68の上端右側および支持部69の上面）を中心として次位の商品Ｔの後端を持ち上げようとする前後方向の回転力F3と、側方へ回転しようとする横方向の回転力F4とに分散される。落下に対する反発力F2が２つの回転力F3、F4に分散されるため、前後方向の回転力F3は小さくなり、商品Ｔが押出部材55を乗り越えて前方へずり落ちる可能性が低くなる。
【００４７】
一方、横方向の回転力F4は、次位の商品Ｔがコラム板31の側面部32に接するため、次位の商品Ｔが回転することなく打ち消される。また、次位の商品Ｔがコラム板31の側面部32に接触することにより生じる摩擦が、前後方向の回転力F3に対する抵抗となり、次位の商品Ｔのずり落ちをより抑制する作用を果たす。
【００４８】
このように、押出部材55の上面を投出方向と交差する商品コラム16の幅方向に非対称形状に設けたことにより、押出部材55の投出方向への移動によって最下位の商品Ｔを投出口36から押し出して投出し、次位の商品Ｔが押出部材55上に落下した際、次位の商品Ｔが幅方向にも傾斜し、落下の勢いを幅方向にも分散するため、次位の商品Ｔが落下の勢いで押出部材55との接触部分を中心として回転しながら押出部材55を乗り越えて投出口36からずり落ちるのを防止でき、したがって、次位の商品Ｔの連れ出しを防止し、商品Ｔの安定した投出ができる。
【００４９】
次に、図６に第２の実施の形態を示す。
【００５０】
押出部材55aの投出方向と反対側に支持部材71が配置され、これら押出部材55aおよび支持部材71が投出方向に沿って順に接近してベルト51に連結される。
【００５１】
押出部材55aは、第１の実施の形態の押出部材55と略同様に、脚部65，66、連結部67および押出部68を有するが、上面全体に支持部69が形成され、切欠部70を有さない幅方向に対称な形状とされている。
【００５２】
支持部材71は、第１の実施の形態の押出部材55と略形状で、脚部65，66、連結部67、支持部69および切欠部70と同様の脚部72，73、連結部74、支持部75および切欠部76を有し、上面の幅方向の一側の半分程度の領域（この例では投出方向を向いて右側部分）に凹状の切欠部76が切り欠き形成され、残りの半分に次位の商品Ｔを支持する支持部75が形成されている。
【００５３】
そして、押出部材55aに続いて移動する支持部材71の上面を投出方向と交差する商品コラム16の幅方向に非対称形状に設けたことにより、押出部材55aおよび支持部材71の投出方向への移動によって最下位の商品Ｔを投出口36から押し出して投出し、次位の商品Ｔが押出部材55aおよび支持部材71上に落下した際、次位の商品Ｔが幅方向にも傾斜し、落下の勢いを幅方向にも分散するため、次位の商品Ｔが落下の勢いで押出部材55aおよび支持部材71との接触部分を中心として回転しながら押出部材55aおよび支持部材71を乗り越えて投出口36からずり落ちるのを防止でき、したがって、次位の商品Ｔの連れ出しを防止し、商品Ｔの安定した投出ができる。
【００５４】
次に、図７に第３の実施の形態を示す。
【００５５】
第１の実施の形態の押出部材55と第２の実施の形態の支持部材71とを組み合わせたもので、押出部材55の投出方向と反対側に支持部材71が配置され、これら押出部材55および支持部材71が投出方向に沿って順に接近してベルト51に連結される。
【００５６】
そして、押出部材55およびこの押出部材55に続いて移動する支持部材71の上面を投出方向と交差する商品コラム16の幅方向に非対称形状に設けたことにより、押出部材55および支持部材71の投出方向への移動によって最下位の商品Ｔを投出口36から押し出して投出し、次位の商品Ｔが押出部材55および支持部材71上に落下した際、次位の商品Ｔが幅方向にも傾斜し、落下の勢いを幅方向にも分散するため、次位の商品Ｔが落下の勢いで押出部材55および支持部材71との接触部分を中心として回転しながら押出部材55および支持部材71を乗り越えて投出口36からずり落ちるのを防止でき、したがって、次位の商品Ｔの連れ出しを防止し、商品Ｔの安定した投出ができる。
【００５７】
次に、図８および図９に第４の実施の形態を示す。
【００５８】
商品コラム16および投出ユニット17の幅方向における中心線P1の位置からずれた一側位置（この例では、投出方向を向いて右側位置）に、投出ユニット17のベルト51が張設される。
【００５９】
押出部材55bは、第１の実施の形態の押出部材55と略同様に、脚部65，66、連結部67および押出部68を有するが、上面全体に支持部69が形成され、切欠部70を有さない幅方向に対称な形状とされている。ベルト51が商品コラム16および投出ユニット17の幅方向の中心線P1からずれた一側位置に張設されていることから、押出部材55bの投出方向の軌道の中心線P2は商品コラム16および投出ユニット17の幅方向の中心線P1からずれた一側位置（この例では、投出方向を向いて右側位置）に配置される。押出部材55bの幅Ｗは、商品コラム16の半分の幅より狭く、商品コラム16の中央側の押出部材55bの側部は略中心線P1の位置に位置される。
【００６０】
そして、ベルト51が回動されて押出部材55bにより最下位の商品Ｔが押し出されると、次位の商品Ｔが押出部材55b上に落下する。このとき、押出部材55bが前寄り位置に達していることから、次位の商品Ｔは後ろ下がりの姿勢をとろうとする。加えて、押出部材55bが幅方向の片寄り位置にあることから、次位の商品Ｔは幅方向にも傾斜した姿勢（投出方向を向いて左下がりの姿勢）をとろうとし、斜め後方が下がる姿勢をとる。その結果、第１の実施の形態と同様な力の作用が働き、次位の商品Ｔの前方へのずり落ちが防止される。
【００６１】
このように、押出部材55bの投出方向に移動する軌道の中心が投出方向と交差する商品コラム16の幅方向における中心線P1よりずれた位置に設定したことにより、押出部材55bの投出方向への移動によって最下位の商品Ｔを投出口36から押し出して投出し、次位の商品Ｔが押出部材55b上に落下した際、次位の商品Ｔが幅方向にも傾斜し、落下の勢いを幅方向にも分散するため、次位の商品Ｔが落下の勢いで押出部材55bとの接触部分を中心として回転しながら押出部材55bを乗り越えて投出口36からずり落ちるのを防止でき、したがって、次位の商品Ｔの連れ出しを防止し、商品Ｔの安定した投出ができる。
【００６２】
なお、押出部材および支持部材の上面の幅方向の非対称形状は、凹状の切欠部に限らず、押出部材および支持部材の上面を全体的に傾斜面状に形成したり、突部を突設してもよく、同様の作用効果が得られる。
【００６３】
【発明の効果】
本発明の商品投出装置によれば、押出部材の上面には、投出方向と交差する商品収納部の幅方向に非対称形状で、最下位の商品上に載置されていて最下位の商品の投出によって落下する次位の商品を支持するとともにその次位の商品を投出方向と交差する商品収納部の幅方向に傾斜させる支持部が形成されていることにより、押出部材の投出方向への移動によって最下位の商品を投出口から押し出して投出し、次位の商品が押出部材上に落下した際、次位の商品が幅方向に傾斜し、落下の勢いを幅方向にも分散するため、次位の商品が落下の勢いで押出部材との接触部分を中心として回転しながら押出部材を乗り越えて投出口からずり落ちるのを防止でき、したがって、次位の商品の連れ出しを防止し、商品の安定した投出ができる。
【００６４】
また、本発明の商品投出装置によれば、押出部材および支持部材のうちの少なくとも支持部材の上面には、投出方向と交差する商品収納部の幅方向に非対称形状で、最下位の商品上に載置されていて最下位の商品の投出によって落下する次位の商品を支持するとともにその次位の商品を投出方向と交差する商品収納部の幅方向に傾斜させる支持部が形成されていることにより、押出部材および支持部材の投出方向への移動によって最下位の商品を投出口から押し出して投出し、次位の商品が押出部材および支持部材上に落下した際、次位の商品が幅方向に傾斜し、落下の勢いを幅方向にも分散するため、次位の商品が落下の勢いで押出部材および支持部材との接触部分を中心として回転しながら押出部材および支持部材を乗り越えて投出口からずり落ちるのを防止でき、したがって、次位の商品の連れ出しを防止し、商品の安定した投出ができる。
【図面の簡単な説明】
【図１】  本発明の商品投出装置の第１の実施の形態を示し、(a)は正面図、(b)は側面図である。
【図２】  同上商品投出装置の投出ユニットを示し、(a)は平面図、(b)は正面から見る断面図、(c)は側面から見る断面図である。
【図３】  同上商品投出装置の押出部材を示し、(a)は平面図、(b)は左側面図、(c)は右側面図である。
【図４】  同上商品投出装置の作用を説明する説明図を示し、(a)は正面図、(b)は側面図である。
【図５】  同上商品投出装置を適用した自動販売機を示し、(a)は扉体を開放した状態の正面図、(b)は内部構造を示す側面から見る断面図である。
【図６】  本発明の商品投出装置の第２の実施の形態における押出部材および支持部材を示し、(a)は平面図、(b)は左側面図、(c)は右側面図である。
【図７】  本発明の商品投出装置の第３の実施の形態における押出部材および支持部材を示し、(a)は平面図、(b)は左側面図、(c)は右側面図である。
【図８】  本発明の商品投出装置の第４の実施の形態を示し、(a)は正面図、(b)は側面図である。
【図９】  同上商品投出装置の投出ユニットを示し、(a)は平面図、(b)は正面図、(c)は側面図である。
【符号の説明】
15    商品投出装置
16    商品収納部としての商品コラム
36    投出口
55，55a，55b    押出部材
56    駆動機構
69 支持部
70 切欠部
71    支持部材
Ｔ    商品
【図１】
0004446559.tif 000002
【図２】
0004446559.tif 000003
【図３】
0004446559.tif 000004
【図４】
0004446559.tif 000005
【図５】
0004446559.tif 000006
【図６】
0004446559.tif 000007
【図７】
0004446559.tif 000008
【図８】
0004446559.tif 000009
【図９】
0004446559.tif 000010